(57)【特許請求の範囲】
【請求項１】
フレーム毎に同期信号を含むディジタルデータから前記同期信号を検出する同期信号検出手段と、この検出された同期信号をその周期性に基づいて抽出する同期信号抽出手段と、前記同期信号検出手段で前記同期信号が検出されずに欠落する場合に、同期信号を補間する同期信号補間手段と、前記同期信号検出手段が前記同期信号を検出できない場合には、その検出できない回数を求める計数手段とを備えた同期信号の検出保護回路において、
前記計数手段の計数値が第１所定値になったときに、前記同期信号抽出手段が前記同期信号を抽出可能状態とし、この状態で同期信号が検出された場合には、その同期信号を正規の同期信号と推定して前記同期信号抽出手段が抽出したのち前記計数手段の計数値を第２所定値にセットし、
前記計数手段の計数値が第１所定値に達することなく同期信号が検出された場合には、その同期信号を抽出するとともに、先に検出された同期信号を正規の同期信号と確定し、前記計数手段の計数値を初期化するように制御する制御手段を備えたことを特徴とする同期信号の検出保護回路。
【請求項２】
前記計数手段がセットされる前記第２所定値は、セットの直前の計数値から１を減算した値であることを特徴とする請求項１に記載の同期信号の検出保護回路。
【発明の詳細な説明】
【０００１】
【発明の属する技術分野】
本発明は、ＣＤ（コンパクトディスク）やＤＶＤ（Digital Versatile Disc) などのディスクに記録されている情報を再生する情報再生装置などに使用される同期信号の検出保護回路に係り、特に再生されたディジタルデータ中に含まれる同期信号の検出と、その同期信号が欠落した場合には同期信号を補間（補充）することができるものである。
【０００２】
【従来の技術】
従来、例えばＣＤの場合には、ディジタルデータは、ＥＦＭ（Eight to Fourteen Modulation) 変調された所定のフォーマットでフレーム内に配列されて、ディスク上に記録されている。そして、１フレームは、先頭に配置されたフレーム同期信号、複数のオーディオ情報ワード、および誤り訂正用ワードなどを含み、全体で５８８チャネルビットから構成されている。
【０００３】
このうち、フレーム同期信号は、２４チャネルビットから構成され、他の情報と区別できるように特定のパターンを有している。そして、上記フレーム同期信号は、オーディオ情報を再生する際に、フレーム分割のために使用されるとともに、フレーム内のデータを所定の単位で分割するためのデータ分離用信号を生成するためにも使用される。
【０００４】
このため、上記のＣＤを再生する再生装置では、再生したディジタルデータ中からフレーム同期信号を検出するための同期信号検出回路が設けられている。また、上記再生装置では、例えばディスク上の傷によって生ずるドロップアウト等のためにフレーム同期信号が欠落した場合に、欠落したフレーム同期信号を補間する同期信号保護回路が設けられており、この回路は上記の同期信号検出回路と組み合わせて使用されている。
【０００５】
図５は、従来からの同期信号の検出保護回路の構成の一例を示す。
【０００６】
この同期信号の検出保護回路は、同期信号検出回路１、アンド回路２、オア回路３、チャネルビットカウンタ４、ウインドウ生成回路５、内挿数カウンタ６、およびオア回路７から構成されている。そして、同期信号検出回路１には、ＥＦＭ信号が信号変換回路８で変換されたＮＲＺ信号が入力されるようになっている。また、そのＥＦＭ信号からＰＬＬ回路９がクロック信号ＰＬＣＫを生成し、このクロック信号ＰＬＣＫにより各回路が動作するようになっている。
【０００７】
次に、このような構成からなる従来からの同期信号の検出保護回路の動作について、図６のタイムチャートを参照して説明する。
【０００８】
いま、図６に示す時刻ｔ１において、同期信号検出回路１が図６（Ｂ）に示すように同期信号ＳＹＮＣを検出すると、このときオア回路７からのウインドウ信号は図６（Ｃ）に示すように「Ｈ」レベルである。このため、その同期信号ＳＹＮＣは、アンド回路２により正規の同期信号ＤＴＳＹＮＣとして抽出されたのち、オア回路３により同期信号ＤＴＩＰＳＹＮＣとして取り出されてチャネルビットカウンタ４に供給される。
【０００９】
チャネルビットカウンタ４は、オア回路３からの同期信号ＤＴＩＰＳＹＮＣに基づいて計数動作を行い、その計数値（カウント値）をウインドウ生成回路５に出力するとともに、その計数値が所定値に達した時点で図６（Ｅ）に示すような内挿用の同期信号ＩＰＳＹＮＣをオア回路３に出力する。ウインドウ生成回路５は、チャネルビットカウンタ４からの計数値に基づいて図６（Ｇ）に示すようなウインドウ信号ＷＩＮ０を生成し、これを内挿数カウンタ６およびオア回路７にそれぞれ出力する。
【００１０】
時刻ｔ２において、同期信号検出回路１が同期信号ＳＹＮＣを検出しなかった場合には、アンド回路２からは正規の同期信号ＤＴＳＹＮＣは出力されない。しかし、チャネルビットカウンタ４からは、図６（Ｅ）に示すように内挿用の同期信号ＩＰＳＹＮＣが出力され、これがオア回路３に入力されるので、オア回路３からはその同期信号ＩＰＳＹＮＣが内挿されて補間された同期信号ＤＴＩＰＳＹＮＣが出力される（図６（Ｆ）参照）。また、このときには、アンド回路２から正規の同期信号ＤＴＳＹＮＣが得られなかったので、その旨が内挿数カウンタ６で計数され、その計数値が図６（Ｈ）に示すように「１」となる。
【００１１】
時刻ｔ３において、同期信号検出回路１が同期信号ＳＹＮＣを再び検出できなかった場合には、オア回路３からはチャネルビットカウンタ４からの同期信号ＩＰＳＹＮＣが内挿されて補間された同期信号ＤＴＩＰＳＹＮＣが出力される。また、このときには、内挿数カウンタ６の計数値が図６（Ｈ）に示すように「２」となり、この計数値が「２」の期間は、内挿カウンタ６から出力されるウインドウ信号ＷＩＮ１が図６（Ｉ）で示すように「Ｈ」レベルになるとともに、オア回路７から出力されるウインドウ信号も図６（Ｃ）に示すように「Ｈ」レベルとなる。連続未検出回数は、この例では２回としたが、任意の回数が可能である。
【００１２】
さらに、時刻ｔ４において、同期信号検出回路１が図６（Ｂ）に示すように同期信号ＳＹＮＣを検出すると、このときオア回路７から出力されるウインドウ信号は「Ｈ」レベルであるので、その同期信号ＳＹＮＣは、アンド回路２により正規の同期信号ＤＴＳＹＮＣとして抽出される。また、このときには、その同期信号ＤＴＳＹＮＣにより内挿数カウンタ６が初期化されるとともに、内挿数カウンタ６からオア回路７に出力されるウインドウ信号ＷＩＮ１は図６（Ｉ）で示すように「Ｈ」レベルから「Ｌ」レベルに変化すると同時に、オア回路７から出力されるウインドウ信号も図６（Ｃ）に示すように「Ｈ」レベルから「Ｌ」レベルに変化する。
【００１３】
このように、図５の従来回路では、時刻ｔ２とｔ３で同期信号検出回路１が同期信号ＳＹＮＣを検出できなかったのち、時刻ｔ４において同期信号検出回路１が同期信号ＳＹＮＣを最初に検出できたときには、その最初に検出された同期信号ＳＹＮＣを正規のものとして取り扱うようにしている。このため、最初に検出された同期信号ＳＹＮＣが誤りであった場合には、信頼性に欠けて実用性に不向きであるという不都合がある。
【００１４】
そこで、このような不都合を解消する同期信号の検出保護回路として、図７に示すものが知られている。
【００１５】
この図７に示す従来回路が図５に示す従来回路と異なる点は、図５に示す回路のチャネルビットカウンタ４とウインドウ生成回路５を、メインチャネルビットカウンタ４Ａとメインウインドウ生成回路５Ａとし、かつ、サブチャネルビットカウンタ１０、サブウインドウ生成回路１１、および論理回路１２を追加したものである。そして、論理回路１２は、２つのアンド回路１２１、１２２と、オア回路１２３とから構成したものである。
【００１６】
このような構成からなる同期信号の検出保護回路の動作について、図８のタイムチャートを参照して説明する。
【００１７】
いま、図８に示す時刻ｔ１において、同期信号検出回路１が同期信号ＳＹＮＣを検出すると、このときオア回路７からのメインウインドウ信号が図８（Ｃ）に示すように「Ｈ」レベルであり、これが論理回路１２を通ってアンド回路２に入力される。このため、その同期信号ＳＹＮＣは、アンド回路２により正規の同期信号ＤＴＳＹＮＣとして抽出されたのち、オア回路３により同期信号ＤＴＩＰＳＹＮＣとして取り出されてメインチャネルビットカウンタ４Ａに出力される。
【００１８】
時刻ｔ２において、同期信号検出回路１が同期信号ＳＹＮＣを検出しなかった場合には、アンド回路２からは正規の同期信号ＤＴＳＹＮＣは出力されない。しかし、メインチャネルビットカウンタ４Ａからは、内挿用の同期信号ＩＰＳＹＮＣが出力され、これがオア回路３に入力されるので、オア回路３からはその同期信号ＩＰＳＹＮＣが内挿されて補間された同期信号ＤＴＩＰＳＹＮＣが出力される。また、このときには、アンド回路２から正規の同期信号ＤＴＳＹＮＣが得られなかったので、その旨が内挿数カウンタ６で計数され、その計数値が図８（Ｈ）に示すように「１」となる。
【００１９】
時刻ｔ３において、同期信号検出回路１が同期信号ＳＹＮＣを再び検出できなかった場合には、オア回路３の出力からはメインチャネルビットカウンタ４Ａからの同期信号ＩＰＳＹＮＣが内挿されて補間された同期信号ＤＴＩＰＳＹＮＣが出力される。また、このときには、内挿数カウンタ６の計数値が「２」となり、この計数値が「２」の期間は、内挿カウンタ６から出力されるウインドウ信号ＷＩＮ１が図８（Ｉ）で示すように「Ｈ」レベルになるとともに、オア回路７のメインウインドウ信号も図８（Ｃ）に示すように「Ｈ」レベルとなる。これも前記従来回路と同様に連続未検出回数を２回と仮定した場合の例である。
【００２０】
時刻ｔ４において、同期信号検出回路１が同期信号ＳＹＮＣを検出すると、このときに内挿数カウンタ６からのウインドウ信号ＷＩＮ１が図８（Ｉ）に示すように「Ｈ」レベルであるので、サブチャネルビットカウンタ４Ａは計数を開始し、その計数値をサブウインドウ生成回路１１に出力する。サブウインドウ生成回路１１は、その計数値が所定値になる前後の期間に図８（Ｊ）で示すようなサブウインドウ信号を出力し、このサブウインドウ信号をアンド回路１２２に出力する。また、時刻ｔ４では、アンド回路２のゲート信号は「Ｌ」レベルの状態にあるので、同期信号検出回路１で検出された同期信号ＳＹＮＣは、正規の同期信号ＤＴＳＹＮＣとしてアンド回路２から抽出されない。
【００２１】
時刻ｔ５において、同期信号検出回路１が同期信号ＳＹＮＣを再び検出すると、上記の時刻ｔ４の場合と同様に、サブチャネルビットカウンタ４Ａは計数を開始するとともに、同期信号検出回路１で検出された同期信号ＳＹＮＣは、正規の同期信号ＤＴＳＹＮＣとしてアンド回路２から抽出されない。
【００２２】
時刻ｔ６において、同期信号検出回路１が図８（Ｂ）に示すように同期信号ＳＹＮＣをさらに検出すると、このときには、サブウインドウ生成回路１１から出力されるサブウインドウ信号が「Ｈ」レベルであり、これによりアンド回路２のゲート信号は「Ｈ」レベルとなる。このため、同期信号検出回路１で検出された同期信号ＳＹＮＣは、アンド回路２により正規の同期信号ＤＴＳＹＮＣとして抽出される。
【００２３】
さらに、時刻ｔ６では、その同期信号ＤＴＳＹＮＣにより内挿数カウンタ６は初期化されるとともに、内挿数カウンタ６からオア回路７に出力されるウインドウ信号ＷＩＮ１は図８（Ｉ）で示すように「Ｈ」レベルから「Ｌ」レベルに変化すると同時に、オア回路７から出力されるメインウインドウ信号も図８（Ｃ）に示すように「Ｈ」レベルから「Ｌ」レベルに変化する。
【００２４】
【発明が解決しようとする課題】
このように、図７の従来回路では、同期信号検出回路１が所定の回数連続（前記の例では２回連続）して同期信号ＳＹＮＣを検出できなかったのち、時刻ｔ４と時刻ｔ５で同期信号検出回路１が同期信号ＳＹＮＣを２回検出できてもその同期信号を正規のものとは扱わずに、時刻ｔ５から所定期間の経過後の時刻ｔ６に同期信号が検出できた場合に初めて、その同期信号を正規のものとして扱うようにした。このため、同期信号ＳＹＮＣを検出の際に、信頼性を確保できるという利点があるが、再同期化までに無駄な時間がかかるという不都合がある。
【００２５】
さらに、図７の従来回路では、図５の従来回路にサブチャネルビットカウンタ１０、サブウインドウ生成回路１１、および論理回路１２が追加されているので、その回路規模が大きくなる上にその構成が複雑になるという不都合がある。
【００２６】
そこで、本発明の目的は、上述の点に鑑み、再同期の信頼性を確保しつつその再同期化までの時間を短縮できる上に、回路規模を小型化ができるようにした同期信号の検出保護方法およびその検出保護回路を提供することにある。
【００２７】
【課題を解決するための手段】
上記課題を解決し、本発明の目的を達成するために、請求項１および請求項２に記載の各発明は、以下のように構成した。
【００２８】
すなわち、請求項１に記載の発明は、フレーム毎に同期信号を含むディジタルデータから前記同期信号を検出する同期信号検出手段と、この検出された同期信号をその周期性に基づいて抽出する同期信号抽出手段と、前記同期信号検出手段で前記同期信号が検出されずに欠落する場合に、同期信号を補間する同期信号補間手段と、前記同期信号検出手段が前記同期信号を検出できない場合には、その検出できない回数を求める計数手段とを備えた同期信号の検出保護回路において、前記計数手段の計数値が第１所定値になったときに、前記同期信号抽出手段が前記同期信号を抽出可能状態とし、この状態で同期信号が検出された場合には、その同期信号を正規の同期信号と推定して前記同期信号抽出手段が抽出したのち前記計数手段の計数値を第２所定値にセットし、前記計数手段の計数値が第１所定値に達することなく同期信号が検出された場合には、その同期信号を抽出するとともに、先に検出された同期信号を正規の同期信号と確定し、前記計数手段の計数値を初期化するように制御する制御手段を備えたものである。
【００２９】
さらに、請求項２に記載の発明は、請求項１に記載の同期信号の検出保護回路において、前記計数手段がセットされる前記第２所定値は、セットの直前の計数値から１を減算した値である。
【００３１】
このように本発明では、同期信号が所定の回数連続して検出されなかった場合には、その後に検出された同期信号を正規の同期信号と推定して抽出するようにし、その後、同期信号が所定期間の経過後に再び検出された場合には、その同期信号を抽出するとともに、先に検出された同期信号を正規の同期信号と確定するようにした。このため、再同期の信頼性を確保しつつその再同期化までの時間を短縮できる上に、回路規模を小型化できる。
【００３２】
【発明の実施の形態】
以下、本発明の好適な実施の形態について、図面を参照しつつ説明する。
【００３３】
図１は、本発明である同期回路の検出保護回路の実施形態の構成を示すブロック図である。
【００３４】
この実施形態にかかる同期回路の検出保護回路は、図１に示すように、同期信号検出回路１、アンド回路２、オア回路３、チャネルビットカウンタ４、ウインドウ生成回路５、内挿数カウント処理回路２１、およびオア回路７を少なくとも備えている。
【００３５】
同期信号検出回路１は、例えばＣＤから再生されてフレーム毎に同期信号を含むディジタルデータ中から、その同期信号を検出してアンド回路２に出力するように構成されている。アンド回路２は、オア回路７からのウインドウ信号が「Ｈ」レベルにあるときに、同期信号検出回路１で検出された同期信号ＳＹＮＣから正規の同期信号ＤＴＳＹＮＣを抽出するように構成されている。
【００３６】
オア回路３は、アンド回路２からの同期信号ＤＴＳＹＮＣと、チャネルビットカウンタ４からの内挿用の同期信号ＩＰＳＹＮＣとにより論理和演算を行い、同期信号ＤＴＩＰＳＹＮＣを出力するように構成されている。
【００３７】
チャネルビットカウンタ４は、オア回路３からの同期信号ＤＴＩＰＳＹＮＣに基づいて計数動作を行い、その計数値（カウント値）をウインドウ生成回路５に出力するとともに、その計数値が所定値に達した時点で上記の内挿用の同期信号ＩＰＳＹＮＣをオア回路３に出力するように構成されている。
【００３８】
ウインドウ生成回路５は、チャネルビットカウンタ４からの計数値に基づいてウインドウ信号ＷＩＮ０を生成し、これを内挿数カウント処理回路２１およびオア回路７にそれぞれ出力するように構成されている。
【００３９】
内挿数カウント処理回路２１は、図２に示すように、内挿数カウンタ２１１、信号生成回路２１２、およびカウンタ制御回路２１３から構成されている。
【００４０】
内挿数カウンタ２１１は、図３（Ｇ）に示すように、ウインドウ生成回路５からのウインドウ信号ＷＩＮ０が「Ｈ」レベルの期間に、同期信号検出回路１で同期信号ＳＹＮＣが検出されずに、アンド回路２から同期信号ＤＴＳＹＮＣが抽出されない場合に、その回数を計数するように構成されている（図３（Ｈ）を参照）。
【００４１】
信号生成回路２１２は、内挿数カウンタ２１１からの計数値が所定値（この例では「２」）の期間に、図３（Ｉ）に示すように「Ｈ」レベルとなるようなウインドウ信号ＷＩＮ１を生成出力するように構成されている。また、カウンタ制御回路２１３は、アンド回路２からの同期信号ＤＴＳＹＮＣと、信号生成回路２１２からのウインドウ信号ＷＩＮ１とに基づき、後述のように所要のタイミングでカウンタ２１１の計数値を「１」だけ減算させる減算信号と、カウンタ２１１を初期化させる初期化信号とを生成するように構成されている。
【００４２】
ここで、同期信号検出手段は図１の同期信号検出回路１が対応し、同期信号抽出手段は同図のアンド回路２やウインドウ生成回路５等が、同期信号補間手段は同図のチャネルビットカウンタ４等が、計数手段は図２の内挿数カウンタ２１１が、制御手段は図１の内挿数カウント処理回路２１等がそれぞれ対応する。
【００４３】
次に、このような構成からなる実施形態にかかる同期回路の検出保護回路の動作について、図３および図４のタイムチャートを参照して説明する。ここで、図４のＡ〜Ｃは、図３のＡ〜Ｃの各部分における動作の詳細を示している。
【００４４】
いま、図３に示す時刻ｔ１において、同期信号検出回路１が図３（Ｂ）に示すように同期信号ＳＹＮＣを検出すると、このときオア回路７からのウインドウ信号は図３（Ｃ）に示すように「Ｈ」レベルである。このため、その同期信号ＳＹＮＣは、アンド回路２により正規の同期信号ＤＴＳＹＮＣとして抽出されたのち、オア回路３により同期信号ＤＴＩＰＳＹＮＣとして取り出されてチャネルビットカウンタ４に供給される。
【００４５】
チャネルビットカウンタ４は、オア回路３からの同期信号ＤＴＩＰＳＹＮＣに基づいて計数動作を行い、その計数値（カウント値）をウインドウ生成回路５に出力するとともに、その計数値が所定値に達した時点で図３（Ｅ）に示すような内挿用の同期信号ＩＰＳＹＮＣをオア回路３に出力する。ウインドウ生成回路５は、チャネルビットカウンタ４からの計数値に基づいて図３（Ｇ）に示すようなウインドウ信号ＷＩＮ０を生成し、これを内挿数カウント処理回路２１の内挿数カウンタ２１１、およびオア回路７にそれぞれ出力する。
【００４６】
時刻ｔ２において、同期信号検出回路１が同期信号ＳＹＮＣを検出しなかった場合には、アンド回路２からは正規の同期信号ＤＴＳＹＮＣは出力されない。しかし、チャネルビットカウンタ４からは、図３（Ｅ）に示すように内挿用の同期信号ＩＰＳＹＮＣが出力され、これがオア回路３に入力されるので、オア回路３からはその同期信号ＩＰＳＹＮＣが内挿されて補間された同期信号ＤＴＩＰＳＹＮＣが出力される（図３（Ｆ）参照）。また、このときには、アンド回路２から正規の同期信号ＤＴＳＹＮＣが得られなかったので、その旨が内挿数カウンタ２１１で計数され、その計数値が図３（Ｈ）に示すように「１」となる。
【００４７】
時刻ｔ３において、同期信号検出回路１が同期信号ＳＹＮＣを再び検出できなかった場合には、オア回路３からはチャネルビットカウンタ４からの同期信号ＩＰＳＹＮＣが内挿されて補間された同期信号ＤＴＩＰＳＹＮＣが出力される。また、このときには、内挿数カウンタ２１の計数値が図３（Ｈ）に示すように「２」となる。この計数値が「２」の期間は、信号生成回路２１２で生成されるウインドウ信号ＷＩＮ１が図３（Ｉ）で示すように「Ｈ」レベルになるとともに、オア回路７から出力されるウインドウ信号も図３（Ｃ）に示すように「Ｈ」レベルとなる。連続未検出回数は、この例では２回としたが、任意の回数が可能である。
【００４８】
ここで、時刻ｔ３の前後における各部のより具体的な波形は、図４のＡに示すようになる。これからわかるように、チャネルビットカウンタ４は、クロックＰＬＣＫ（図５のＰＬＬ回路９から生成される信号）の立ち上がりで計数動作を行い、その計数値が「５８７」になると、同期信号ＩＰＳＹＮＣを出力し、オア回路３からの同期信号ＤＴＩＰＳＹＮＣの立ち下がりで初期化される。また、ウインドウ生成回路５から出力されるウインドウ信号ＷＩＮ０は、チャネルビットカウンタ４からの計数値の「５８７」の前後で「Ｈ」レベルとなる。この例では、±４ＰＬＣＫとしてある。
【００４９】
時刻ｔ４において、同期信号検出回路１が同期信号ＳＹＮＣを検出すると、このときオア回路７から出力されるウインドウ信号は「Ｈ」レベルであるので、その同期信号ＳＹＮＣは、アンド回路２により正規の同期信号ＤＴＳＹＮＣとして抽出される。また、このときには、カウンタ制御回路２１３が、アンド回路２からの同期信号ＤＴＳＹＮＣの立ち下がりと、信号生成回路２１２からのウインドウ信号ＷＩＮ１の立ち下がりとに基づき減算信号を生成し、この減算信号を内挿数カウンタ２１１に送出する（図４のＢの部分を参照）。これにより、内挿数カウンタ２１１の計数値が図３（Ｈ）および図４のＢの部分に示すように「１」となる。
【００５０】
また、時刻ｔ４では、信号生成回路２１２から出力されるウインドウ信号ＷＩＮ１は図３（Ｉ）で示すように「Ｈ」レベルから「Ｌ」レベルに変化し、これに伴い、オア回路７から出力されるウインドウ信号も図３（Ｃ）に示すように「Ｈ」レベルから「Ｌ」レベルに変化する。
【００５１】
時刻ｔ５において、同期信号検出回路１が同期信号ＳＹＮＣを検出できなかった場合には、各部の動作は時刻ｔ３の場合と同様な動作となる。
【００５２】
時刻ｔ６において、同期信号検出回路１が同期信号ＳＹＮＣを検出した場合には、その同期信号ＳＹＮＣは、アンド回路２により正規の同期信号ＤＴＳＹＮＣとして抽出される。また、このときには、カウンタ制御回路２１３が減算信号を生成し、この減算信号を内挿数カウンタ２１１に送出するので、内挿数カウンタ２１１の計数値は「１」となる。また、時刻ｔ６では、信号生成回路２１２から出力されるウインドウ信号ＷＩＮ１は「Ｈ」レベルから「Ｌ」レベルに変化し、これに伴いオア回路７から出力されるウインドウ信号も「Ｈ」レベルから「Ｌ」レベルに変化する。
【００５３】
次に、時刻ｔ７において、同期信号検出回路１が同期信号ＳＹＮＣを検出した場合には、その同期信号ＳＹＮＣは、アンド回路２により正規の同期信号ＤＴＳＹＮＣとして抽出される。また、このときには、図３のＣに示すように、カウンタ制御回路２１３がアンド回路２からの同期信号ＤＴＳＹＮＣと、信号生成回路２１２からのウインドウ信号ＷＩＮ１とに基づき初期化信号を生成し、この初期化信号を内挿数カウンタ２１１に送出する。これにより、内挿数カウンタ２１１の計数値が図３（Ｈ）および図４（Ｈ）に示すように「０」となって初期化される。
【００５４】
なお、図４（Ｆ）に示す信号波形ＳＩＧは、アンド回路２からの同期信号ＤＴＳＹＮＣとウインドウ生成回路５からのウインドウ信号ＷＩＮ０に基づいて生成され、同期信号ＤＴＳＹＮＣがウインドウ信号ＷＩＮ０の「Ｈ」レベルの期間に検出された旨を示す信号である。
【００５５】
以上説明したように、この実施形態にかかる同期信号の検出保護回路では、時刻ｔ２、ｔ３において同期信号検出回路１が連続して同期信号ＳＹＮＣを検出できなかったのち、時刻ｔ６において同期信号ＳＹＮＣが検出された場合には、その同期信号を正規のものとしていったん推定し、その後、時刻ｔ６から所定期間の経過後の時刻ｔ７において同期信号ＳＹＮＣが再び検出された場合には、時刻ｔ６における同期信号を正規のものとして確定するようにした。
【００５６】
一方、時刻ｔ４においても同期信号ＳＹＮＣが検出されるが、時刻ｔ４から所定期間の経過後の時刻ｔ５において同期信号ＳＹＮＣが検出できなかったため、時刻ｔ４における同期信号は正規のものと確定するには至らない。
【００５７】
このため、この実施形態にかかる同期信号の検出保護回路では、再同期の信頼性を確保しつつ、その再同期がかかるまでの時間を図７の従来回路に比べて１同期信号分だけ早め、もって再同期化の時間を短縮できる。
【００５８】
また、この実施形態にかかる同期信号の検出保護回路では、図５の従来回路の内挿数カウンタ６のみを内挿数カウント処理回路２１に代え、他の部分の構成は図５の従来回路と同一としたので、図７の従来回路に比べて回路規模を小さくすることができる。
【００５９】
なお、この実施形態では、同期信号が含まれるディジタルデータをＣＤから再生されたものとしたが、本発明は、そのディジタルデータが同期信号を所定の周期毎に含むものであれば、ＤＶＤなどの各種の記録媒体から再生されたディジタルデータについても適用可能である。
【００６０】
【発明の効果】
以上説明したように、本発明によれば、所定の回数連続して同期信号が検出されなかった場合には、その後に検出された同期信号を正規の同期信号と推定して抽出するようにし、その後、同期信号が所定期間の経過後に再び検出された場合には、その同期信号を抽出するとともに、先に検出された同期信号を正規の同期信号と確定するようにしたので、再同期の信頼性を確保しつつその再同期化までの時間を短縮できる上に、回路規模を小型化できる。
【図面の簡単な説明】
【図１】本発明の実施形態の構成を示すブロック図である。
【図２】図１に示す内挿数カウント処理回路の詳細な構成を示すブロック図である。
【図３】本発明の実施形態の動作を説明するタイムチャートである。
【図４】図３の要部を拡大したタイムチャートである。
【図５】従来回路の構成を示すブロック図である。
【図６】図５の回路の動作を説明するタイムチャートである。
【図７】従来回路の他の構成を示すブロック図である。
【図８】図７の回路の動作を説明するタイムチャートである。
【符号の説明】
１  同期信号検出回路
２  アンド回路
３、７  オア回路
４  チャネルビットカウンタ
５  ウインドウ生成回路
２１  内挿数カウント処理回路
２１１  内挿数カウンタ
２１２  信号生成回路
２１３  カウンタ制御回路
【図１】
0003956525.tif 000002
【図２】
0003956525.tif 000003
【図３】
0003956525.tif 000004
【図４】
0003956525.tif 000005
【図５】
0003956525.tif 000006
【図６】
0003956525.tif 000007
【図７】
0003956525.tif 000008
【図８】
0003956525.tif 000009